(57)【特許請求の範囲】
【請求項１】
基地局として機能する無線装置と信号処理装置とを備える無線通信システムにおける無線装置であって、
端末装置から送信された無線信号に基づいて前記無線信号の受信品質を測定するチャネル推定部と、
前記チャネル推定部により測定された前記受信品質に基づいて、前記無線信号から得られるビットデータ又は対数尤度比を破棄する送信制御部と、
を備える無線装置。
【請求項２】
基地局として機能する無線装置と信号処理装置とを備える無線通信システムにおける無線装置であって、
端末装置から送信された無線信号に基づいて前記無線信号の受信品質を測定するチャネル推定部と、
前記チャネル推定部により測定された前記受信品質に基づいて、前記無線信号から得られるビットデータ又は対数尤度比の前記信号処理装置への送信を制御する送信制御部と、
を備え、
前記送信制御部は、前記受信品質が予め定められた閾値未満である場合に、前記ビットデータ又は前記対数尤度比を前記信号処理装置に送信せずに破棄する無線装置。
【請求項３】
基地局として機能する無線装置と信号処理装置とを備える無線通信システムにおける無線装置であって、
端末装置から送信された無線信号に基づいて前記無線信号の受信品質を測定するチャネル推定部と、
前記チャネル推定部により測定された前記受信品質に基づいて、前記無線信号から得られるビットデータ又は対数尤度比の前記信号処理装置への送信を制御する送信制御部と、
を備え、
前記送信制御部は、前記受信品質が予め定められた閾値未満である場合に、前記ビットデータ又は前記対数尤度比を前記信号処理装置に送信せずに破棄するとともに、前記信号処理装置に対して前記ビットデータ又は前記対数尤度比を送信しないことを前記信号処理装置に通知する無線装置。
【請求項４】
前記チャネル推定部は、前記受信品質として受信信号電力、受信ＳＮＲ（Signal to Noise Ratio）及び受信ＳＩＮＲ（Signal to Interference plus Noise Ratio）のいずれかを測定する、請求項１からの３のいずれか一項に記載の無線装置。
【請求項５】
基地局として機能する無線装置と信号処理装置とを備える無線通信システムにおける無線装置が行う無線通信方法であって、
端末装置から送信された無線信号に基づいて前記無線信号の受信品質を測定するチャネル推定ステップと、
前記チャネル推定ステップにおいて測定された前記受信品質に基づいて、前記無線信号から得られるビットデータ又は対数尤度比を破棄する送信制御ステップと、
を有する無線通信方法。
【請求項６】
基地局として機能する無線装置と信号処理装置とを備える無線通信システムにおける無線装置が行う無線通信方法であって、
端末装置から送信された無線信号に基づいて前記無線信号の受信品質を測定するチャネル推定ステップと、
前記チャネル推定ステップにおいて測定された前記受信品質に基づいて、前記無線信号から得られるビットデータ又は対数尤度比の前記信号処理装置への送信を制御する送信制御ステップと、
を有し、
前記送信制御ステップにおいて、前記受信品質が予め定められた閾値未満である場合に、前記ビットデータ又は前記対数尤度比を前記信号処理装置に送信せずに破棄する無線通信方法。
【請求項７】
基地局として機能する無線装置と信号処理装置とを備える無線通信システムにおける無線装置が行う無線通信方法であって、
端末装置から送信された無線信号に基づいて前記無線信号の受信品質を測定するチャネル推定ステップと、
前記チャネル推定ステップにおいて測定された前記受信品質に基づいて、前記無線信号から得られるビットデータ又は対数尤度比の前記信号処理装置への送信を制御する送信制御ステップと、
を有し、
前記送信制御ステップにおいて、前記受信品質が予め定められた閾値未満である場合に、前記ビットデータ又は前記対数尤度比を前記信号処理装置に送信せずに破棄するとともに、前記信号処理装置に対して前記ビットデータ又は前記対数尤度比を送信しないことを前記信号処理装置に通知する無線通信方法。
【発明の詳細な説明】
【技術分野】
【０００１】
本発明は、無線装置及び無線通信方法に関する。
本願は、２０１６年１１月１１日に日本へ出願された特願２０１６−２２０７５０号に基づき優先権を主張し、その内容をここに援用する。
【背景技術】
【０００２】
従来、無線通信システム、特に移動体通信システムにおいて、基地局設置の柔軟性を高めるため、基地局が有する機能をＢＢＵ（Base Band Unit）とＲＲＨ（Remote Radio Head）との２つの装置に分担させ、ＢＢＵとＲＲＨとを物理的に離れた構成とすることが検討されている。ＢＢＵとＲＲＨとにおける機能分割方式の一形態として、図１７に示すように、ＭＡＣ（Media Access Control）層以上の機能をＢＢＵが行い、物理層の機能をＲＲＨが行う機能分割方式が検討されている（例えば、非特許文献１参照）。この機能分割方式は、ＭＡＣ−ＰＨＹ  ｓｐｌｉｔ方式あるいはＬ２  Ｃ−ＲＡＮ（Layer 2 Centralized / Cloud - Radio Access Network）方式と呼ばれる。【０００３】
一方で、ＢＢＵとＲＲＨとにおける機能分割方式の一形態として、図１８に示すように、ＭＡＣ層以上の機能と物理層の機能の一部である符号化の機能とをＢＢＵが行い、符号化機能以外の物理層の機能をＲＲＨが行う機能分割方式が検討されている（例えば、非特許文献２参照）。この機能分割方式は、ＳＰＰ（Split-PHY Processing）方式と呼ばれる。【０００４】
基地局や端末装置において受信した無線信号を復調する方式には、復調して得られた信号ビットを０又は１のビット値として出力するのではなく、信号ビットが０又は１である確からしさを示す尤度（Likelihood）と呼ばれる実数値の比として出力する軟判定復調方式がある（例えば、非特許文献３参照）。軟判定復調方式では、復調によって得られる出力は対数尤度比あるいはＬＬＲ（Log Likelihood Ratio）と呼ばれる。ＬＬＲの値は、一般に、正の大きい値であるほど信号ビットが１である可能性が高いことを示し、負の小さい値（絶対値が大きい値）であるほど信号ビットが０である可能性が高いことを示す。【０００５】
また、移動通信システムにおいて、１つのＲＲＨがカバーするエリアをセルと呼び、一般的に、隣接する複数のセル間においてそのカバーエリアはオーバラップしている。そのため、端末装置がセル端（セルエッジ）付近に位置している場合、端末装置と所望のＲＲＨとの間で送受信される無線信号と、隣接セルのＲＲＨと端末装置との間で送受信される無線信号とが干渉して無線伝送速度が著しく低下する現象が問題となる。このような問題を解決する手段として、例えば図１９に示すように隣接するＲＲＨ同士がセル端近傍に位置する端末装置に対して互いに連携して通信を行うＣｏＭＰ(Coordinated Multi-Point transmission/reception)技術が検討されている（例えば、非特許文献４参照）。【０００６】
図１９では、連携するＲＲＨの数が２台であるが、ＲＲＨの数は２台以上であればよい。将来の移動通信システムにおいては、ＲＲＨを高密度に設置し、端末装置がセル端に位置するか否かに関わらず複数の端末装置に対して複数のＲＲＨが常にＣｏＭＰを行うことでシステム容量を向上させることも検討されている。ＣｏＭＰ手法の１つとして、連携する複数のＲＲＨにおける受信信号のうち、最大の受信品質を有する受信信号を選択する選択合成と呼ばれる手法がある（例えば、非特許文献５参照）。ここで、受信品質とは、例えば受信信号電力、又は、受信ＳＮＲ（Signal to Noise Ratio）、あるいは、受信ＳＩＮＲ（Signal to Interference plus Noise Ratio）のことである。この選択合成は、ＭＡＣ−ＰＨＹ  ｓｐｌｉｔの機能分割方式を用いたＢＢＵ及びＲＲＨのＣｏＭＰにも適用することができる。【０００７】
図２０は、従来のＭＡＣ−ＰＨＹ  ｓｐｌｉｔにおける上りリンク選択合成の信号伝送を行う無線通信システム１０００のシステム構成例を示す図である。無線通信システム１０００は、端末装置９１、複数のＲＲＨ９２−１〜９２−２及びＢＢＵ９３を備える。ＲＲＨ９２−１及び９２−２は同様の構成を備えるため、ＲＲＨ９２−１を例に説明する。
ＲＲＨ９２−１は、ＲＦ（Radio Frequency）受信部９２１−１と、チャネル推定部９２２−１と、復調部９２３−１と、復号部９２４−１とを備える。ＢＢＵ９３は、選択合成部９３１を備える。【０００８】
ＲＦ受信部９２１−１は、端末装置９１から送信された信号を受信する。ＲＦ受信部９２１−１は、受信した信号のうち、参照信号をチャネル推定部９２２−１へ出力し、データ信号を復調部９２３−１へ出力する。参照信号は、無線伝送路のチャネル情報を抽出するための信号であり、端末装置とＲＲＨとの間において既知の信号を含む信号である。データ信号は、ＢＢＵへ送るべき信号であって信号ビットの系列を含む信号である。
チャネル推定部９２２−１は、ＲＦ受信部９２１−１から出力された参照信号に基づいて、無線伝送路のチャネル情報の推定及び受信品質の測定を行う。チャネル推定部９２２−１は、チャネル情報の推定結果及び受信品質の測定結果を復調部９２３−１へ出力する。【０００９】
復調部９２３−１は、チャネル推定部９２２−１から出力されたチャネル情報の推定結果と受信品質の測定結果を用いて、受信されたデータ信号に対して等化処理及び軟判定復調を行うことによってＬＬＲ値（軟判定値）を取得する。復調部９２３−１は、取得したＬＬＲ値（軟判定値）と、受信品質の測定結果（受信品質の情報）とを復号部９２４−１に出力する。
復号部９２４−１は、復調部９２３−１から出力されたＬＬＲ値に対して復号処理を行うことでビットデータ(硬判定値)を復元する。なお、この復号処理の過程では、ＣＲＣ（Cyclic Redundancy Check）と呼ばれる誤り検出符号を用いて、復号されたビットデータが誤りを含むか否かの判定が行われている。各ＲＲＨ９２は、復号したビットデータと、チャネル推定部９２２で測定した受信品質の情報（以下「受信品質情報」という。）とをＢＢＵ９３に送信する。【００１０】
ＢＢＵ９３の選択合成部９３１は、各ＲＲＨ９２から伝送された受信品質情報を比較し、より高い受信品質を有するＲＲＨ９２のビットデータを選択し、それ以外のＲＲＨ９２から伝送されたビットデータを破棄する。【００１１】
また、上りリンク（ＲＲＨからＢＢＵへ向かう方向）におけるＣｏＭＰ手法の１つとして、ＳＰＰの機能分割方式を適用した上で、各ＲＲＨで得られたＬＬＲをＢＢＵに送信し、ＢＢＵが各ＲＲＨで得られたＬＬＲを合成する手法が検討されている（非特許文献６参照）。【００１２】
図２１は、従来のＳＰＰにおける上りリンクＬＬＲ合成の信号伝送を行う無線通信システム１０００ａのシステム構成例を示す図である。無線通信システム１０００ａは、端末装置９１ａ、複数のＲＲＨ９２ａ−１〜９２ａ−２及びＢＢＵ９３ａを備える。ＲＲＨ９２ａ−１及び９２ａ−２は同様の構成を備えるため、ＲＲＨ９２ａ−１を例に説明する。【００１３】
ＲＲＨ９２ａ−１は、ＲＦ受信部９２１ａ−１と、チャネル推定部９２２ａ−１と、復調部９２３ａ−１とを備える。ＢＢＵ９３ａは、ＬＬＲ合成部９３２と、復号部９３３とを備える。
ＲＦ受信部９２１ａ−１は、端末装置９１ａから送信された信号を受信する。ＲＦ受信部９２１ａ−１は、受信した信号のうち、参照信号をチャネル推定部９２２ａ−１へ出力し、データ信号を復調部９２３ａ−１へ出力する。チャネル推定部９２２ａ−１は、ＲＦ受信部９２１ａ−１から出力された参照信号に基づいて、無線伝送路のチャネル情報の推定及び受信品質の測定を行う。チャネル推定部９２２ａ−１は、チャネル情報の推定結果及び受信品質の測定結果を復調部９２３ａ−１へ出力する。復調部９２３ａ−１は、チャネル推定部９２２ａ−１から出力されたチャネル情報の推定結果と受信品質の測定結果を用いて、受信されたデータ信号に対して等化処理及び軟判定復調を行うことによってＬＬＲ値（軟判定値）を取得する。復調部９２３ａ−１は、取得したＬＬＲ値（軟判定値）をＢＢＵ９３ａに送信する。【００１４】
ＢＢＵ９３ａのＬＬＲ合成部９３２は、ＲＲＨ９２ａから出力されたＬＬＲ値を合成し、合成したＬＬＲ値を復号部９３３に出力する。復号部９３３は、ＬＬＲ合成部９３２から出力された合成後のＬＬＲ値に対して復号処理を行うことで信号ビットデータ(硬判定値)を取得する。復号部９３３は、取得した信号ビットデータを出力する。【００１５】
上記のように、ＳＰＰの基地局機能分割方式では、ＬＬＲ合成を用いたＣｏＭＰを用いて、より信頼性の高いＬＬＲ値を復号部９３３に入力して復号を行うことで、無線信号のビット誤りを低減し、無線伝送特性を改善することができる。
【先行技術文献】
【非特許文献】
【００１６】
【非特許文献１】松永泰彦、「５Ｇに向けた無線アクセスネットワークアーキテクチャの進化」、信学技報、vol. 114、no. 254、RCS2014-172、pp. 89-94、２０１４年１０月
【非特許文献２】宮本健司、外３名、「将来無線アクセスに向けた基地局機能分割方式の提案」、信学技報、CS2015-15、pp. 33-38、２０１５年７月
【非特許文献３】大槻知明、「情報通信の基礎と動向［III］  −誤り訂正符号−」、電子情報通信学会誌、Vol. 90、No. 7、pp. 549-555、２００７年７月
【非特許文献４】田岡秀和、外５名、「LTE-AdvancedにおけるMIMOおよびセル間協調送受信技術」、NTT DOCOMOテクニカル・ジャーナル，Vol. 18, No. 2, pp. 22-30
【非特許文献５】電子情報通信学会「知識ベース」、４群（モバイル・無線）−１編−６章、pp. 1-9、２０１０年１１月
【非特許文献６】齋藤昭裕、外５名、「基地局協調伝送システムの開発」、Panasonic Technical Journal, Vol. 58, No. 4, pp. 20-25, ２０１３年１月
【発明の概要】
【発明が解決しようとする課題】
【００１７】
端末装置がセル端（セルエッジ）に位置するか否かに関わらず複数の端末装置に対して複数のＲＲＨが常にＣｏＭＰを行うような場合、従来のＭＡＣ−ＰＨＹ  ｓｐｌｉｔにおける上りリンク選択合成の手法や従来のＳＰＰにおける上りリンクＬＬＲ合成の手法では、選択合成あるいはＬＬＲ合成によって無線伝送特性が改善するか否かに関わらず、連携する全てのＲＲＨから復号されたビットデータ及び受信品質情報あるいは復調されたＬＬＲ値が伝送される。しかしながら、無線伝送特性の改善に寄与しないビットデータ及び受信品質情報あるいはＬＬＲ値をＢＢＵに送る必要はない。このように従来の手法では、複数のＲＲＨとＢＢＵの間における合計の伝送容量が不必要に大きくなってしまうという問題があった。【００１８】
上記事情に鑑み、本発明は、複数のＲＲＨとＢＢＵとの間の合計の伝送容量を削減することができる技術の提供を目的としている。
【課題を解決するための手段】
【００１９】
本発明の一態様は、基地局として機能する無線装置と信号処理装置とを備える無線通信システムにおける無線装置であって、端末装置から送信された無線信号に基づいて前記無線信号の受信品質を測定するチャネル推定部と、前記チャネル推定部により測定された前記受信品質に基づいて、前記無線信号から得られるビットデータ又は対数尤度比の前記信号処理装置への送信を制御する送信制御部と、を備える無線装置である。【００２０】
上記の無線装置において、前記送信制御部は、前記受信品質が予め定められた閾値未満である場合に、前記ビットデータ又は前記対数尤度比を前記信号処理装置に送信せずに破棄してもよい。【００２１】
上記の無線装置において、前記チャネル推定部は、前記受信品質として受信信号電力、受信ＳＮＲ（Signal to Noise Ratio）及び受信ＳＩＮＲ（Signal to Interference plus Noise Ratio）のいずれかを測定してもよい。【００２２】
上記の無線装置において、前記送信制御部は、前記受信品質が予め定められた閾値未満である場合に、前記ビットデータ又は前記対数尤度比を前記信号処理装置に送信せずに破棄するとともに、前記信号処理装置に対して前記ビットデータ又は前記対数尤度比を送信しないことを前記信号処理装置に通知してもよい。【００２３】
本発明の一態様は、基地局として機能する無線装置と信号処理装置とを備える無線通信システムにおける無線装置が行う無線通信方法であって、端末装置から送信された無線信号に基づいて前記無線信号の受信品質を測定するチャネル推定ステップと、前記チャネル推定ステップにおいて測定された前記受信品質に基づいて、前記無線信号から得られるビットデータ又は対数尤度比の前記信号処理装置への送信を制御する送信制御ステップと、を有する無線通信方法である。
【発明の効果】
【００２４】
本発明により、複数のＲＲＨとＢＢＵとの間の合計の伝送容量を削減することが可能となる。
【図面の簡単な説明】
【００２５】
【図１】第１の実施形態における無線通信システム１００のシステム構成を表す構成図である。
【図２】第２の実施形態における無線通信システム１００ａのシステム構成を表す構成図である。
【図３】第３の実施形態における無線通信システム１００ｂのシステム構成を表す構成図である。
【図４】第４の実施形態における無線通信システム１００ｃのシステム構成を表す構成図である。
【図５】第５の実施形態における無線通信システム１００ｄのシステム構成を表す構成図である。
【図６】第６の実施形態における無線通信システム１００ｅのシステム構成を表す構成図である。
【図７】第７の実施形態における無線通信システム１００ｆのシステム構成を表す構成図である。
【図８】第８の実施形態における無線通信システム１００ｇのシステム構成を表す構成図である。
【図９】第９の実施形態における無線通信システム１００ｈのシステム構成を表す構成図である。
【図１０】第１０の実施形態における無線通信システム１００ｉのシステム構成を表す構成図である。
【図１１】第１１の実施形態における無線通信システム１００ｊのシステム構成を表す構成図である。
【図１２】第１２の実施形態における無線通信システム１００ｋのシステム構成を表す構成図である。
【図１３】第１３の実施形態における無線通信システム１００ｌのシステム構成を表す構成図である。
【図１４】第１４の実施形態における無線通信システム１００ｍのシステム構成を表す構成図である。
【図１５】第１５の実施形態における無線通信システム１００ｎのシステム構成を表す構成図である。
【図１６】第１６の実施形態における無線通信システム１００ｏのシステム構成を表す構成図である。
【図１７】ＭＡＣ−ＰＨＹ  ｓｐｌｉｔの機能分割方式の一例を示す図である。
【図１８】ＳＰＰの機能分割方式の一例を示す図である。
【図１９】ＣｏＭＰ技術を用いたシステム構成を示す図である。
【図２０】従来のＭＡＣ−ＰＨＹ  ｓｐｌｉｔにおける上りリンク選択合成の信号伝送を行う無線通信システム１０００のシステム構成例を示す図である。
【図２１】従来のＳＰＰにおける上りリンクＬＬＲ合成の信号伝送を行う無線通信システム１０００ａのシステム構成例を示す図である。
【発明を実施するための形態】
【００２６】
以下、本発明の実施形態を、図面を参照しながら説明する。
以下の説明において、第１の実施形態から第８の実施形態における無線通信システムはＭＡＣ−ＰＨＹ  ｓｐｌｉｔの機能分割方式に適用され、第９の実施形態から第１６の実施形態における無線通信システムはＳＰＰ方式に適用される。
【００２７】
（第１の実施形態）
図１は、第１の実施形態における無線通信システム１００のシステム構成を表す構成図である。無線通信システム１００は、端末装置１０、複数のＲＲＨ（無線装置）２０−１〜２０−２及びＢＢＵ（信号処理装置）３０を備える。なお、以下の説明では、ＲＲＨ２０−１〜２０−２を特に区別しない場合にはＲＲＨ２０と記載する。ＲＲＨ２０及びＢＢＵ３０は、基地局として機能する。各ＲＲＨ２０−１〜２０−２とＢＢＵ３０とは、有線（例えば光ファイバ又は同軸線）にて通信可能に接続されている。ＲＲＨ２０−１及び２０−２は同様の構成を備えるため、ＲＲＨ２０−１を例に説明する。
【００２８】
ＲＲＨ２０−１は、ＲＦ受信部２０１−１と、チャネル推定部２０２−１と、復調部２０３−１と、復号部２０４−１と、送信制御部２０５−１とを備える。
ＲＦ受信部２０１−１は、端末装置１０から送信された信号（無線信号）を受信する。ＲＦ受信部２０１−１は、受信した信号のうち、参照信号をチャネル推定部２０２−１へ出力し、データ信号を復調部２０３−１へ出力する。
【００２９】
チャネル推定部２０２−１は、ＲＦ受信部２０１−１から出力された参照信号を入力とする。チャネル推定部２０２−１は、入力した参照信号に基づいて、無線伝送路のチャネル情報の推定及び受信品質の測定を行う。例えば、チャネル推定部２０２−１は、ＲＦ受信部２０１−１において受信された信号の受信信号電力を受信品質として測定する。チャネル推定部２０２−１は、推定したチャネル情報及び受信品質の測定結果を復調部２０３−１へ出力する。また、チャネル推定部２０２−１は、受信品質の測定結果を送信制御部２０５−１へ出力する。
【００３０】
復調部２０３−１は、ＲＦ受信部２０１−１から出力されたデータ信号と、チャネル推定部２０２−１から出力されたチャネル情報の推定結果及び受信品質の測定結果とを入力とする。復調部２０３−１は、入力したチャネル情報の推定結果及び受信品質の測定結果を用いて、入力したデータ信号に対して等化処理及び軟判定復調を行うことによってＬＬＲ値（軟判定値）を取得する。復調部２０３−１は、取得したＬＬＲ値（軟判定値）を復号部２０４−１に出力する。
復号部２０４−１は、復調部２０３−１から出力されたＬＬＲ値（軟判定値）を入力とする。復号部２０４−１は、入力したＬＬＲ値に対して復号処理を行うことによってビットデータを復元する。復号部２０４−１は、復元したビットデータを送信制御部２０５−１に出力する。
【００３１】
送信制御部２０５−１は、復号部２０４−１から出力されたビットデータと、チャネル推定部２０２−１から出力された受信品質の測定結果とを入力とする。送信制御部２０５−１は、入力した受信品質の測定結果に応じてビットデータの送信を制御する。具体的には、まず送信制御部２０５−１は、受信信号電力を判定するための第１の閾値と、入力した測定結果である受信信号電力とを比較する。次に、送信制御部２０５−１は、受信信号電力が第１の閾値未満である場合、ビットデータと、受信信号電力の情報（受信品質情報）とを破棄する。一方、送信制御部２０５−１は、受信信号電力が第１の閾値以上である場合、ビットデータと、受信信号電力の情報（受信品質情報）とをＢＢＵ３０に送信する。
【００３２】
図１では、ＲＲＨ２０−１の受信信号電力が第１の閾値以上であり、ＲＲＨ２０−２の受信信号電力が第１の閾値未満である場合を示している。この場合、ＲＲＨ２０−１の送信制御部２０５−１はビットデータと受信品質情報とをＢＢＵ３０に送信し、ＲＲＨ２０−２の送信制御部２０５−２はビットデータと受信品質情報とをＢＢＵ３０に送信せずに破棄する。
【００３３】
ＢＢＵ３０は、選択合成部３０１を備える。選択合成部３０１は、ＲＲＨ２０から送信されたビットデータと、受信品質情報とを受信する。選択合成部３０１は、受信したビットデータの中から１つのビットデータを選択する。具体的には、選択合成部３０１は、受信したビットデータの数が１つであった場合、受信したビットデータを選択する。一方、選択合成部３０１は、受信したビットデータの数が複数であった場合、受信したビットデータの中から、受信品質情報に含まれる受信信号電力が最も高いビットデータを選択し、その他のビットデータを破棄する。
【００３４】
以上のように構成された無線通信システム１００によれば、ＲＲＨ２０が、端末装置１０から送信された信号の受信信号電力に応じて、ビットデータの送信を制御する。例えば、ＲＲＨ２０は、第１の閾値未満の受信信号電力の信号から得られたビットデータのように、無線伝送特性の改善に寄与しないビットデータと受信品質情報とをＢＢＵ３０に送信しない。これにより、従来に比べてＢＢＵ３０に対して送信されるビットデータの数と受信品質情報の数が低減される。そのため、複数のＲＲＨとＢＢＵとの間の合計の伝送容量を削減することが可能になる。
【００３５】
（第２の実施形態）
図２は、第２の実施形態における無線通信システム１００ａのシステム構成を表す構成図である。無線通信システム１００ａは、端末装置１０、複数のＲＲＨ２０ａ−１〜２０ａ−２及びＢＢＵ３０ａを備える。なお、以下の説明では、ＲＲＨ２０ａ−１〜２０ａ−２を特に区別しない場合にはＲＲＨ２０ａと記載する。ＲＲＨ２０ａ及びＢＢＵ３０ａは、基地局として機能する。各ＲＲＨ２０ａ−１〜２０ａ−２とＢＢＵ３０ａとは、有線（例えば光ファイバ又は同軸線）にて通信可能に接続されている。ＲＲＨ２０ａ−１及び２０ａ−２は同様の構成を備えるため、ＲＲＨ２０ａ−１を例に説明する。
【００３６】
ＲＲＨ２０ａ−１は、ＲＦ受信部２０１−１と、チャネル推定部２０２ａ−１と、復調部２０３−１と、復号部２０４−１と、送信制御部２０５ａ−１とを備える。
ＲＲＨ２０ａ−１は、チャネル推定部２０２−１及び送信制御部２０５−１に代えてチャネル推定部２０２ａ−１及び送信制御部２０５ａ−１を備える点でＲＲＨ２０−１と構成が異なる。ＲＲＨ２０ａ−１の他の構成はＲＲＨ２０−１と同様である。そのため、ＲＲＨ２０ａ−１全体の説明は省略し、チャネル推定部２０２ａ−１及び送信制御部２０５ａ−１について説明する。
【００３７】
チャネル推定部２０２ａ−１は、ＲＦ受信部２０１−１から出力された参照信号を入力とする。チャネル推定部２０２ａ−１は、入力した参照信号に基づいて、無線伝送路のチャネル情報の推定及び受信品質の測定を行う。例えば、チャネル推定部２０２ａ−１は、ＲＦ受信部２０１−１において受信された信号の受信ＳＮＲを受信品質として測定する。ここで、受信ＳＮＲは、参照信号を用いて雑音電力を測定し、受信信号電力から雑音電力を差し引いた信号電力と雑音電力との比を取ることで求められる。チャネル推定部２０２ａ−１は、推定したチャネル情報及び受信品質の測定結果を復調部２０３−１へ出力する。また、チャネル推定部２０２ａ−１は、受信品質の測定結果を送信制御部２０５ａ−１へ出力する。
【００３８】
送信制御部２０５ａ−１は、復号部２０４−１から出力されたビットデータと、チャネル推定部２０２ａ−１から出力された受信品質の測定結果とを入力とする。送信制御部２０５ａ−１は、入力した受信品質の測定結果に応じてビットデータの送信を制御する。具体的には、まず送信制御部２０５ａ−１は、受信ＳＮＲを判定するための第２の閾値と、入力した測定結果である受信ＳＮＲとを比較する。次に、送信制御部２０５ａ−１は、受信ＳＮＲが第２の閾値未満である場合、ビットデータと、受信ＳＮＲの情報（受信品質情報）とを破棄する。一方、送信制御部２０５ａ−１は、受信ＳＮＲが第２の閾値以上である場合、ビットデータと、受信ＳＮＲの情報（受信品質情報）とをＢＢＵ３０ａに送信する。
【００３９】
ＢＢＵ３０ａは、選択合成部３０１ａを備える。選択合成部３０１ａは、ＲＲＨ２０から送信されたビットデータと、受信品質情報とを受信する。選択合成部３０１ａは、受信したビットデータの中から１つのビットデータを選択する。具体的には、選択合成部３０１ａは、受信したビットデータの数が１つであった場合、受信したビットデータを選択する。一方、選択合成部３０１ａは、受信したビットデータの数が複数であった場合、受信したビットデータの中から、受信品質情報に含まれる受信ＳＮＲが最も高いビットデータを選択し、その他のビットデータを破棄する。
【００４０】
以上のように構成された無線通信システム１００ａによれば、ＲＲＨ２０ａが、端末装置１０から送信された信号の受信ＳＮＲに応じて、ビットデータの送信を制御する。例えば、ＲＲＨ２０ａは、第２の閾値未満の受信ＳＮＲの信号から得られたビットデータのように、無線伝送特性の改善に寄与しないビットデータと受信品質情報とをＢＢＵ３０ａに送信しない。これにより、従来に比べてＢＢＵ３０ａに対して送信されるビットデータの数と受信品質情報の数が低減される。そのため、複数のＲＲＨとＢＢＵとの間の合計の伝送容量を削減することが可能になる。
【００４１】
＜変形例＞
チャネル推定部２０２ａ−１は、受信ＳＮＲではなく受信ＳＩＮＲを受信品質として測定してもよい。このようにＲＲＨ２０ａ−１が構成される場合、選択合成部３０１ａは、受信したビットデータの数が複数であった場合、受信したビットデータの中から、受信品質情報に含まれる受信ＳＩＮＲが最も高いビットデータを選択し、その他のビットデータを破棄する。
【００４２】
（第３の実施形態）
図３は、第３の実施形態における無線通信システム１００ｂのシステム構成を表す構成図である。無線通信システム１００ｂは、端末装置１０、複数のＲＲＨ２０ｂ−１〜２０ｂ−２及びＢＢＵ３０ｂを備える。なお、以下の説明では、ＲＲＨ２０ｂ−１〜２０ｂ−２を特に区別しない場合にはＲＲＨ２０ｂと記載する。ＲＲＨ２０ｂ及びＢＢＵ３０ｂは、基地局として機能する。各ＲＲＨ２０ｂ−１〜２０ｂ−２とＢＢＵ３０ｂとは、有線（例えば光ファイバ又は同軸線）にて通信可能に接続されている。ＲＲＨ２０ｂ−１及び２０ｂ−２は同様の構成を備えるため、ＲＲＨ２０ｂ−１を例に説明する。
【００４３】
ＲＲＨ２０ｂ−１は、ＲＦ受信部２０１−１と、チャネル推定部２０２−１と、復調部２０３−１と、復号部２０４−１と、送信制御部２０５ｂ−１とを備える。
ＲＲＨ２０ｂ−１は、送信制御部２０５−１に代えて送信制御部２０５ｂ−１を備える点でＲＲＨ２０−１と構成が異なる。ＲＲＨ２０ｂ−１の他の構成はＲＲＨ２０−１と同様である。そのため、ＲＲＨ２０ｂ−１全体の説明は省略し、送信制御部２０５ｂ−１について説明する。
【００４４】
送信制御部２０５ｂ−１は、復号部２０４−１から出力されたビットデータと、チャネル推定部２０２−１から出力された受信品質の測定結果とを入力とする。送信制御部２０５ｂ−１は、入力した受信品質の測定結果に応じてビットデータの送信を制御する。具体的には、まず送信制御部２０５ｂ−１は、第１の閾値と、入力した測定結果である受信信号電力とを比較する。次に、送信制御部２０５ｂ−１は、受信信号電力が第１の閾値未満である場合、ビットデータと、受信信号電力の情報（受信品質情報）とを破棄するとともに、ビットデータ及び受信品質情報を送信しないことを示す通知メッセージを生成し、生成した通知メッセージをＢＢＵ３０ｂに送信する。一方、送信制御部２０５ｂ−１は、受信信号電力が第１の閾値以上である場合、ビットデータと、受信信号電力の受信品質情報とをＢＢＵ３０ｂに送信する。
【００４５】
ここで、ＲＲＨ２０ｂ−１の受信信号電力が第１の閾値以上であり、ＲＲＨ２０ｂ−２の受信信号電力が第１の閾値未満である場合、図３に示すように、ＲＲＨ２０ｂ−１の送信制御部２０５ｂ−１はビットデータと受信品質情報とをＢＢＵ３０ｂに送信し、ＲＲＨ２０ｂ−２の送信制御部２０５ｂ−２はビットデータと受信品質情報とをＢＢＵ３０ｂに送信せずに破棄するとともに、通知メッセージを生成し、生成した通知メッセージをＢＢＵ３０ｂに送信する。
【００４６】
ＢＢＵ３０ｂは、選択合成部３０１ｂを備える。選択合成部３０１ｂは、ＲＲＨ２０ｂから送信されたビットデータと、受信品質情報とを受信する。選択合成部３０１ｂは、受信したビットデータの中から１つのビットデータを選択する。具体的には、選択合成部３０１ｂは、受信したビットデータの数が１つであった場合、受信したビットデータを選択する。一方、選択合成部３０１ｂは、受信したビットデータの数が複数であった場合、受信したビットデータの中から、受信品質情報に含まれる受信信号電力が最も高いビットデータを選択し、その他のビットデータを破棄する。また、選択合成部３０１ｂは、ＲＲＨ２０ｂから送信された通知メッセージを受信する。
【００４７】
以上のように構成された無線通信システム１００ｂによれば、第１の実施形態と同様の効果を得ることができる。
また、ＲＲＨ２０ｂは、受信された信号の受信信号電力が第１の閾値未満である場合、ビットデータ及び受信品質情報を送信しないことを示す通知メッセージをＢＢＵ３０ｂに送信する。これにより、ＢＢＵ３０ｂでは、連携するＲＲＨ２０ｂ全てから情報を受信できたか否かを把握することができ、受信待ちに要する時間を削減することができる。
【００４８】
＜変形例＞
ＢＢＵ３０ｂは、いずれかのＲＲＨ２０ｂから受信した信号を誤りなく受信できた場合に、連携する全てのＲＲＨ２０ｂに対して受信が完了したことを通知するメッセージを送信するように構成されてもよい。
【００４９】
（第４の実施形態）
図４は、第４の実施形態における無線通信システム１００ｃのシステム構成を表す構成図である。無線通信システム１００ｃは、端末装置１０、複数のＲＲＨ２０ｃ−１〜２０ｃ−２及びＢＢＵ３０ｃを備える。なお、以下の説明では、ＲＲＨ２０ｃ−１〜２０ｃ−２を特に区別しない場合にはＲＲＨ２０ｃと記載する。ＲＲＨ２０ｃ及びＢＢＵ３０ｃは、基地局として機能する。各ＲＲＨ２０ｃ−１〜２０ｃ−２とＢＢＵ３０ｃとは、有線（例えば光ファイバ又は同軸線）にて通信可能に接続されている。ＲＲＨ２０ｃ−１及び２０ｃ−２は同様の構成を備えるため、ＲＲＨ２０ｃ−１を例に説明する。
【００５０】
ＲＲＨ２０ｃ−１は、ＲＦ受信部２０１−１と、チャネル推定部２０２ａ−１と、復調部２０３−１と、復号部２０４−１と、送信制御部２０５ｃ−１とを備える。
ＲＲＨ２０ｃ−１は、送信制御部２０５ａ−１に代えて送信制御部２０５ｃ−１を備える点でＲＲＨ２０ａ−１と構成が異なる。ＲＲＨ２０ｃ−１の他の構成はＲＲＨ２０ａ−１と同様である。そのため、ＲＲＨ２０ｃ−１全体の説明は省略し、送信制御部２０５ｃ−１について説明する。
【００５１】
送信制御部２０５ｃ−１は、復号部２０４−１から出力されたビットデータと、チャネル推定部２０２ａ−１から出力された受信品質の測定結果とを入力とする。送信制御部２０５ｃ−１は、入力した受信品質の測定結果に応じてビットデータの送信を制御する。具体的には、まず送信制御部２０５ｃ−１は、第２の閾値と、入力した測定結果である受信ＳＮＲとを比較する。次に、送信制御部２０５ｃ−１は、受信ＳＮＲが第２の閾値未満である場合、ビットデータと、受信ＳＮＲの情報（受信品質情報）とを破棄するとともに、ビットデータ及び受信品質情報を送信しないことを示す通知メッセージを生成し、生成した通知メッセージをＢＢＵ３０ｃに送信する。一方、送信制御部２０５ｃ−１は、受信ＳＮＲが第２の閾値以上である場合、ビットデータと、受信ＳＮＲの情報（受信品質情報）とをＢＢＵ３０ｃに送信する。
【００５２】
ＢＢＵ３０ｃは、選択合成部３０１ｃを備える。選択合成部３０１ｃは、ＲＲＨ２０ｃから送信されたビットデータと、受信品質情報とを受信する。選択合成部３０１ｃは、受信したビットデータの中から１つのビットデータを選択する。具体的には、選択合成部３０１ｃは、受信したビットデータの数が１つであった場合、受信したビットデータを選択する。一方、選択合成部３０１ｃは、受信したビットデータの数が複数であった場合、受信したビットデータの中から、受信品質情報に含まれる受信ＳＮＲが最も高いビットデータを選択し、その他のビットデータを破棄する。また、選択合成部３０１ｃは、ＲＲＨ２０ｃから送信された通知メッセージを受信する。
【００５３】
以上のように構成された無線通信システム１００ｃによれば、第２の実施形態と同様の効果を得ることができる。
また、ＲＲＨ２０ｃは、受信された信号の受信ＳＮＲが第２の閾値未満である場合、ビットデータ及び受信品質情報を送信しないことを示す通知メッセージをＢＢＵ３０ｃに送信する。これにより、ＢＢＵ３０ｃでは、連携するＲＲＨ２０ｃ全てから情報を受信できたか否かを把握することができ、受信待ちに要する時間を削減することができる。
【００５４】
＜変形例＞
チャネル推定部２０２ａ−１は、受信ＳＮＲではなく受信ＳＩＮＲを受信品質として測定してもよい。このようにＲＲＨ２０ｃ−１が構成される場合、選択合成部３０１ｃは、受信したビットデータの数が複数であった場合、受信したビットデータの中から、受信品質情報に含まれる受信ＳＩＮＲが最も高いビットデータを選択し、その他のビットデータを破棄する。
ＢＢＵ３０ｃは、いずれかのＲＲＨ２０ｃから受信した信号を誤りなく受信できた場合に、連携する全てのＲＲＨ２０ｃに対して受信が完了したことを通知するメッセージを送信するように構成されてもよい。
【００５５】
（第５の実施形態）
図５は、第５の実施形態における無線通信システム１００ｄのシステム構成を表す構成図である。無線通信システム１００ｄは、端末装置１０ｄ、複数のＲＲＨ２０ｄ−１〜２０ｄ−２及びＢＢＵ３０を備える。
第５の実施形態では、端末装置１０ｄ及びＲＲＨ２０ｄが複数のアンテナを備え、端末装置１０ｄとＲＲＨ２０ｄとの間でＭＩＭＯ（Multiple-Input Multiple-Output）伝送を行う。この場合、ＲＲＨ２０ｄ−１は、複数のＲＦ受信部２０１−１−１〜２０１−１−ｎ（ｎは２以上の整数）と、チャネル推定部２０２ｄ−１と、復調部２０３−１と、復号部２０４−１と、送信制御部２０５−１とを備える。
【００５６】
複数のＲＦ受信部２０１−１−１〜２０１−１−ｎはそれぞれ、１つのチャネル推定部２０２ｄ−１に接続される。チャネル推定部２０２ｄ−１は、ＲＦ受信部２０１−１−１〜２０１−１−ｎそれぞれで受信された信号に対して、無線伝送路のチャネル情報の推定及び受信品質の測定を行う。なお、チャネル推定部２０２ｄ−１は、複数のＲＦ受信部２０１−１−１〜２０１−１−ｎから出力された参照信号をもとに受信信号電力の合計値を算出して、算出した受信信号電力の合計値を送信制御部２０５−１に出力してもよいし、受信信号電力の平均値を送信制御部２０５−１に出力してもよい。復調部２０３−１、復号部２０４−１及び送信制御部２０５−１の動作は第１の実施形態における同名の機能部と同様である。また、第５の実施形態におけるＢＢＵ３０は、第１の実施形態におけるＢＢＵ３０と同様の構成であるため説明を省略する。
【００５７】
以上のように構成された無線通信システム１００ｄによれば、第１の実施形態と同様の効果を得ることができる。
また、無線通信システム１００ｄによれば、ＭＩＭＯ伝送においても、ＲＲＨ２０ｄとＢＢＵ３０との間の伝送容量を削減することが可能になる。
【００５８】
（第６の実施形態）
図６は、第６の実施形態における無線通信システム１００ｅのシステム構成を表す構成図である。無線通信システム１００ｅは、端末装置１０ｅ、複数のＲＲＨ２０ｅ−１〜２０ｅ−２及びＢＢＵ３０ａを備える。
第６の実施形態では、端末装置１０ｅ及びＲＲＨ２０ｅが複数のアンテナを備え、端末装置１０ｅとＲＲＨ２０ｅとの間でＭＩＭＯ伝送を行う。この場合、ＲＲＨ２０ｅ−１は、複数のＲＦ受信部２０１−１−１〜２０１−１−ｎと、チャネル推定部２０２ｅ−１と、復調部２０３−１と、復号部２０４−１と、送信制御部２０５ａ−１とを備える。
【００５９】
複数のＲＦ受信部２０１−１−１〜２０１−１−ｎはそれぞれ、１つのチャネル推定部２０２ｅ−１に接続される。チャネル推定部２０２ｅ−１は、ＲＦ受信部２０１−１−１〜２０１−１−ｎそれぞれで受信された信号に対して、無線伝送路のチャネル情報の推定及び受信品質の測定を行う。なお、チャネル推定部２０２ｅ−１は、複数のＲＦ受信部２０１−１−１〜２０１−１−ｎから出力された参照信号をもとに受信ＳＮＲの合計値を算出して、算出した受信ＳＮＲの合計値を送信制御部２０５ａ−１に出力してもよいし、受信ＳＮＲの平均値を送信制御部２０５ａ−１に出力してもよい。復調部２０３−１、復号部２０４−１及び送信制御部２０５ａ−１の動作は第２の実施形態における同名の機能部と同様である。また、第６の実施形態におけるＢＢＵ３０ａは、第２の実施形態におけるＢＢＵ３０ａと同様の構成であるため説明を省略する。
【００６０】
以上のように構成された無線通信システム１００ｅによれば、第２の実施形態と同様の効果を得ることができる。
また、無線通信システム１００ｅによれば、ＭＩＭＯ伝送においても、ＲＲＨ２０ｅとＢＢＵ３０ａとの間の伝送容量を削減することが可能になる。
【００６１】
＜変形例＞
第６の実施形態は、第２の実施形態と同様に変形されてもよい。
また、チャネル推定部２０２ｅ−１は、受信ＳＮＲではなく受信ＳＩＮＲを受信品質として測定する場合、複数のＲＦ受信部２０１−１−１〜２０１−１−ｎから出力された参照信号をもとに受信ＳＩＮＲの合計値を算出して、算出した受信ＳＩＮＲの合計値を送信制御部２０５ａ−１に出力してもよいし、受信ＳＩＮＲの平均値を送信制御部２０５ａ−１に出力してもよい。
【００６２】
（第７の実施形態）
図７は、第７の実施形態における無線通信システム１００ｆのシステム構成を表す構成図である。無線通信システム１００ｆは、端末装置１０ｆ、複数のＲＲＨ２０ｆ−１〜２０ｆ−２及びＢＢＵ３０ｂを備える。
第７の実施形態では、端末装置１０ｆ及びＲＲＨ２０ｆが複数のアンテナを備え、端末装置１０ｆとＲＲＨ２０ｆとの間でＭＩＭＯ伝送を行う。この場合、ＲＲＨ２０ｆ−１は、複数のＲＦ受信部２０１−１−１〜２０１−１−ｎと、チャネル推定部２０２ｆ−１と、復調部２０３−１と、復号部２０４−１と、送信制御部２０５ｂ−１とを備える。
【００６３】
複数のＲＦ受信部２０１−１−１〜２０１−１−ｎはそれぞれ、１つのチャネル推定部２０２ｆ−１に接続される。チャネル推定部２０２ｆ−１は、ＲＦ受信部２０１−１−１〜２０１−１−ｎそれぞれで受信された信号に対して、無線伝送路のチャネル情報の推定及び受信品質の測定を行う。なお、チャネル推定部２０２ｆ−１は、複数のＲＦ受信部２０１−１−１〜２０１−１−ｎから出力された参照信号をもとに受信信号電力の合計値を算出して、算出した受信信号電力の合計値を送信制御部２０５ｂ−１に出力してもよいし、受信信号電力の平均値を送信制御部２０５ｂ−１に出力してもよい。復調部２０３−１、復号部２０４−１及び送信制御部２０５ｂ−１の動作は第３の実施形態における同名の機能部と同様である。また、第７の実施形態におけるＢＢＵ３０ｂは、第３の実施形態におけるＢＢＵ３０ｂと同様の構成であるため説明を省略する。
【００６４】
以上のように構成された無線通信システム１００ｆによれば、第３の実施形態と同様の効果を得ることができる。
また、無線通信システム１００ｆによれば、ＭＩＭＯ伝送においても、ＲＲＨ２０ｆとＢＢＵ３０ｂとの間の伝送容量を削減することが可能になる。
【００６５】
（第８の実施形態）
図８は、第８の実施形態における無線通信システム１００ｇのシステム構成を表す構成図である。無線通信システム１００ｇは、端末装置１０ｇ、複数のＲＲＨ２０ｇ−１〜２０ｇ−２及びＢＢＵ３０ｃを備える。
第８の実施形態では、端末装置１０ｇ及びＲＲＨ２０ｇが複数のアンテナを備え、端末装置１０ｇとＲＲＨ２０ｇとの間でＭＩＭＯ伝送を行う。この場合、ＲＲＨ２０ｇ−１は、複数のＲＦ受信部２０１−１−１〜２０１−１−ｎと、チャネル推定部２０２ｇ−１と、復調部２０３−１と、復号部２０４−１と、送信制御部２０５ｃ−１とを備える。
【００６６】
複数のＲＦ受信部２０１−１−１〜２０１−１−ｎはそれぞれ、１つのチャネル推定部２０２ｇ−１に接続される。チャネル推定部２０２ｇ−１は、ＲＦ受信部２０１−１−１〜２０１−１−ｎそれぞれで受信された信号に対して、無線伝送路のチャネル情報の推定及び受信品質の測定を行う。なお、チャネル推定部２０２ｇ−１は、複数のＲＦ受信部２０１−１−１〜２０１−１−ｎから出力された参照信号をもとに受信ＳＮＲの合計値を算出して、算出した受信ＳＮＲの合計値を送信制御部２０５ｃ−１に出力してもよいし、受信ＳＮＲの平均値を送信制御部２０５ｃ−１に出力してもよい。復調部２０３−１、復号部２０４−１及び送信制御部２０５ｃ−１の動作は第４の実施形態における同名の機能部と同様である。また、第８の実施形態におけるＢＢＵ３０ｃは、第４の実施形態におけるＢＢＵ３０ｃと同様の構成であるため説明を省略する。
【００６７】
以上のように構成された無線通信システム１００ｇによれば、第４の実施形態と同様の効果を得ることができる。
また、無線通信システム１００ｇによれば、ＭＩＭＯ伝送においても、ＲＲＨ２０ｇとＢＢＵ３０ｃとの間の伝送容量を削減することが可能になる。
【００６８】
＜変形例＞
第８の実施形態は、第４の実施形態と同様に変形されてもよい。
また、チャネル推定部２０２ｇ−１は、受信ＳＮＲではなく受信ＳＩＮＲを受信品質として測定する場合、複数のＲＦ受信部２０１−１−１〜２０１−１−ｎから出力された参照信号をもとに受信ＳＩＮＲの合計値を算出して、算出した受信ＳＩＮＲの合計値を送信制御部２０５ｃ−１に出力してもよいし、受信ＳＩＮＲの平均値を送信制御部２０５ｃ−１に出力してもよい。
【００６９】
（第９の実施形態）
図９は、第９の実施形態における無線通信システム１００ｈのシステム構成を表す構成図である。無線通信システム１００ｈは、端末装置１０、複数のＲＲＨ２０ｈ−１〜２０ｈ−２及びＢＢＵ３０ｈを備える。なお、以下の説明では、ＲＲＨ２０ｈ−１〜２０ｈ−２を特に区別しない場合にはＲＲＨ２０ｈと記載する。ＲＲＨ２０ｈ及びＢＢＵ３０ｈは、基地局として機能する。各ＲＲＨ２０ｈ−１〜２０ｈ−２とＢＢＵ３０ｈとは、有線（例えば光ファイバ又は同軸線）にて通信可能に接続されている。ＲＲＨ２０ｈ−１及び２０ｈ−２は同様の構成を備えるため、ＲＲＨ２０ｈ−１を例に説明する。
【００７０】
ＲＲＨ２０ｈ−１は、ＲＦ受信部２０１−１と、チャネル推定部２０２−１と、復調部２０３ｈ−１と、送信制御部２０５ｈ−１とを備える。
ＲＲＨ２０ｈ−１は、復調部２０３−１及び送信制御部２０５−１に代えて復調部２０３ｈ−１及び送信制御部２０５ｈ−１を備える点、復号部２０４−１を備えない点でＲＲＨ２０−１と構成が異なる。ＲＲＨ２０ｈ−１の他の構成はＲＲＨ２０−１と同様である。そのため、ＲＲＨ２０ｈ−１全体の説明は省略し、復調部２０３ｈ−１及び送信制御部２０５ｈ−１について説明する。
【００７１】
復調部２０３ｈ−１は、ＲＦ受信部２０１−１から出力されたデータ信号と、チャネル推定部２０２−１から出力されたチャネル情報の推定結果及び受信品質の測定結果とを入力とする。復調部２０３ｈ−１は、入力したチャネル情報の推定結果及び受信品質の測定結果を用いて、入力したデータ信号に対して等化処理及び軟判定復調を行うことによってＬＬＲ値（軟判定値）を取得する。復調部２０３ｈ−１は、取得したＬＬＲ値（軟判定値）を送信制御部２０５ｈ−１に出力する。
送信制御部２０５ｈ−１は、復調部２０３ｈ−１から出力されたＬＬＲ値（軟判定値）と、チャネル推定部２０２−１から出力された受信品質の測定結果とを入力とする。送信制御部２０５ｈ−１は、入力した受信品質の測定結果に応じてＬＬＲ値の送信を制御する。具体的には、まず送信制御部２０５ｈ−１は、第１の閾値と、入力した測定結果である受信信号電力とを比較する。次に、送信制御部２０５ｈ−１は、受信信号電力が第１の閾値未満である場合、ＬＬＲ値を破棄する。一方、送信制御部２０５ｈ−１は、受信信号電力が第１の閾値以上である場合、ＬＬＲ値をＢＢＵ３０ｈに送信する。
【００７２】
図９では、ＲＲＨ２０ｈ−１の受信信号電力が第１の閾値以上であり、ＲＲＨ２０ｈ−２の受信信号電力が第１の閾値未満である場合を示している。この場合、ＲＲＨ２０ｈ−１の送信制御部２０５ｈ−１はＬＬＲ値をＢＢＵ３０ｈに送信し、ＲＲＨ２０ｈ−２の送信制御部２０５ｈ−２はＬＬＲ値をＢＢＵ３０ｈに送信せずに破棄する。
【００７３】
ＢＢＵ３０ｈは、ＬＬＲ合成部３０２及び復号部３０３を備える。
ＬＬＲ合成部３０２は、ＲＲＨ２０ｈから送信されたＬＬＲ値を受信する。ＬＬＲ合成部３０２は、受信したＬＬＲ値を合成し、合成したＬＬＲ値を復号部３０３に出力する。
復号部３０３は、ＬＬＲ合成部３０２から出力された合成後のＬＬＲ値を入力とする。復号部３０３は、入力した合成後のＬＬＲ値に対して復号処理を行うことで信号ビットデータ(硬判定値)を復元する。復号部３０３は、復元した信号ビットデータを出力する。
【００７４】
以上のように構成された無線通信システム１００ｈによれば、ＲＲＨ２０ｈが、端末装置１０から送信された信号の受信信号電力に応じて、ＬＬＲ値の送信を制御する。例えば、ＲＲＨ２０ｈは、第１の閾値未満の受信信号電力の信号から得られたＬＬＲ値のように、無線伝送特性の改善に寄与しないＬＬＲ値をＢＢＵ３０ｈに送信しない。これにより、従来に比べてＢＢＵ３０ｈに対して送信されるＬＬＲ値の数が低減される。そのため、複数のＲＲＨとＢＢＵとの間の合計の伝送容量を削減することが可能になる。
【００７５】
（第１０の実施形態）
図１０は、第１０の実施形態における無線通信システム１００ｉのシステム構成を表す構成図である。無線通信システム１００ｉは、端末装置１０、複数のＲＲＨ２０ｉ−１〜２０ｉ−２及びＢＢＵ３０ｈを備える。なお、以下の説明では、ＲＲＨ２０ｉ−１〜２０ｉ−２を特に区別しない場合にはＲＲＨ２０ｉと記載する。ＲＲＨ２０ｉ及びＢＢＵ３０ｈは、基地局として機能する。各ＲＲＨ２０ｉ−１〜２０ｉ−２とＢＢＵ３０ｈとは、有線（例えば光ファイバ又は同軸線）にて通信可能に接続されている。ＲＲＨ２０ｉ−１及び２０ｉ−２は同様の構成を備えるため、ＲＲＨ２０ｉ−１を例に説明する。
【００７６】
ＲＲＨ２０ｉ−１は、ＲＦ受信部２０１−１と、チャネル推定部２０２ｉ−１と、復調部２０３ｈ−１と、送信制御部２０５ｉ−１とを備える。
ＲＲＨ２０ｉ−１は、チャネル推定部２０２−１及び送信制御部２０５ｈ−１に代えてチャネル推定部２０２ｉ−１及び送信制御部２０５ｉ−１を備える点でＲＲＨ２０ｈ−１と構成が異なる。ＲＲＨ２０ｉ−１の他の構成はＲＲＨ２０ｈ−１と同様である。そのため、ＲＲＨ２０ｉ−１全体の説明は省略し、チャネル推定部２０２ｉ−１及び送信制御部２０５ｉ−１について説明する。
【００７７】
チャネル推定部２０２ｉ−１は、ＲＦ受信部２０１−１から出力された参照信号を入力とする。チャネル推定部２０２ｉ−１は、入力した参照信号に基づいて、無線伝送路のチャネル情報の推定及び受信品質の測定を行う。例えば、チャネル推定部２０２ｉ−１は、ＲＦ受信部２０１−１において受信された信号の受信ＳＮＲを受信品質として測定する。チャネル推定部２０２ｉ−１は、推定したチャネル情報及び受信品質の測定結果を復調部２０３ｈ−１へ出力する。また、チャネル推定部２０２ｉ−１は、受信品質の測定結果を送信制御部２０５ｉ−１へ出力する。
【００７８】
送信制御部２０５ｉ−１は、復調部２０３ｈ−１から出力されたＬＬＲ値（軟判定値）と、チャネル推定部２０２ｉ−１から出力された受信品質の測定結果とを入力とする。送信制御部２０５ｉ−１は、入力した受信品質の測定結果に応じてＬＬＲ値の送信を制御する。具体的には、まず送信制御部２０５ｉ−１は、第２の閾値と、入力した測定結果である受信ＳＮＲとを比較する。次に、送信制御部２０５ｉ−１は、受信ＳＮＲが第２の閾値未満である場合、ＬＬＲ値を破棄する。一方、送信制御部２０５ｉ−１は、受信ＳＮＲが第２の閾値以上である場合、ＬＬＲ値をＢＢＵ３０ｈに送信する。
【００７９】
以上のように構成された無線通信システム１００ｉによれば、ＲＲＨ２０ｉが、端末装置１０から送信された信号の受信ＳＮＲに応じて、ＬＬＲ値の送信を制御する。例えば、ＲＲＨ２０ｉは、第２の閾値未満の受信ＳＮＲの信号から得られたＬＬＲ値のように、無線伝送特性の改善に寄与しないＬＬＲ値をＢＢＵ３０ｈに送信しない。これにより、従来に比べてＢＢＵ３０ｈに対して送信されるＬＬＲ値の数が低減される。そのため、複数のＲＲＨとＢＢＵとの間の合計の伝送容量を削減することが可能になる。
【００８０】
＜変形例＞
チャネル推定部２０２ｉ−１は、受信ＳＮＲではなく受信ＳＩＮＲを受信品質として測定してもよい。このようにＲＲＨ２０ｉ−１が構成される場合、送信制御部２０５ｉ−１は、受信ＳＩＮＲを判定するための第３の閾値と、入力した測定結果である受信ＳＩＮＲとを比較する。次に、送信制御部２０５ｉ−１は、受信ＳＩＮＲが第３の閾値未満である場合、ＬＬＲ値を破棄する。一方、送信制御部２０５ｉ−１は、受信ＳＩＮＲが第３の閾値以上である場合、ＬＬＲ値をＢＢＵ３０ｈに送信する。
【００８１】
（第１１の実施形態）
図１１は、第１１の実施形態における無線通信システム１００ｊのシステム構成を表す構成図である。無線通信システム１００ｊは、端末装置１０、複数のＲＲＨ２０ｊ−１〜２０ｊ−２及びＢＢＵ３０ｊを備える。なお、以下の説明では、ＲＲＨ２０ｊ−１〜２０ｊ−２を特に区別しない場合にはＲＲＨ２０ｊと記載する。ＲＲＨ２０ｊ及びＢＢＵ３０ｊは、基地局として機能する。各ＲＲＨ２０ｊ−１〜２０ｊ−２とＢＢＵ３０ｊとは、有線（例えば光ファイバ又は同軸線）にて通信可能に接続されている。ＲＲＨ２０ｊ−１及び２０ｊ−２は同様の構成を備えるため、ＲＲＨ２０ｊ−１を例に説明する。
【００８２】
ＲＲＨ２０ｊ−１は、ＲＦ受信部２０１−１と、チャネル推定部２０２−１と、復調部２０３ｈ−１と、送信制御部２０５ｊ−１とを備える。
ＲＲＨ２０ｊ−１は、送信制御部２０５ｈ−１に代えて送信制御部２０５ｊ−１を備える点でＲＲＨ２０ｈ−１と構成が異なる。ＲＲＨ２０ｊ−１の他の構成はＲＲＨ２０ｈ−１と同様である。そのため、ＲＲＨ２０ｊ−１全体の説明は省略し、送信制御部２０５ｊ−１について説明する。
【００８３】
送信制御部２０５ｊ−１は、復調部２０３ｈ−１から出力されたＬＬＲ値（軟判定値）と、チャネル推定部２０２−１から出力された受信品質の測定結果とを入力とする。送信制御部２０５ｊ−１は、入力した受信品質の測定結果に応じてＬＬＲ値の送信を制御する。具体的には、まず送信制御部２０５ｊ−１は、第１の閾値と、入力した測定結果である受信信号電力とを比較する。次に、送信制御部２０５ｊ−１は、受信信号電力が第１の閾値未満である場合、ＬＬＲ値を破棄するとともに、ＬＬＲ値を送信しないことを示す通知メッセージを生成し、生成した通知メッセージをＢＢＵ３０ｊに送信する。一方、送信制御部２０５ｊ−１は、受信信号電力が第１の閾値以上である場合、ＬＬＲ値をＢＢＵ３０ｊに送信する。
【００８４】
ＢＢＵ３０ｊは、ＬＬＲ合成部３０２ｊ及び復号部３０３を備える。
ＬＬＲ合成部３０２ｊは、ＲＲＨ２０ｊから送信されたＬＬＲ値を受信する。ＬＬＲ合成部３０２ｊは、受信したＬＬＲ値を合成し、合成したＬＬＲ値を復号部３０３に出力する。また、ＬＬＲ合成部３０２ｊは、ＲＲＨ２０ｊから送信された通知メッセージを受信する。
【００８５】
以上のように構成された無線通信システム１００ｊによれば、第９の実施形態と同様の効果を得ることができる。
また、ＲＲＨ２０ｊは、受信された信号の受信信号電力が第１の閾値未満である場合、ＬＬＲ値を送信しないことを示す通知メッセージをＢＢＵ３０ｊに送信する。これにより、ＢＢＵ３０ｊでは、連携するＲＲＨ２０ｊ全てから情報を受信できたか否かを把握することができ、受信待ちに要する時間を削減することができる。
【００８６】
＜変形例＞
ＢＢＵ３０ｊは、いずれかのＲＲＨ２０ｊから受信した信号を誤りなく受信できた場合に、連携する全てのＲＲＨ２０ｊに対して受信が完了したことを通知するメッセージを送信するように構成されてもよい。
【００８７】
（第１２の実施形態）
図１２は、第１２の実施形態における無線通信システム１００ｋのシステム構成を表す構成図である。無線通信システム１００ｋは、端末装置１０、複数のＲＲＨ２０ｋ−１〜２０ｋ−２及びＢＢＵ３０ｋを備える。なお、以下の説明では、ＲＲＨ２０ｋ−１〜２０ｋ−２を特に区別しない場合にはＲＲＨ２０ｋと記載する。ＲＲＨ２０ｋ及びＢＢＵ３０ｋは、基地局として機能する。各ＲＲＨ２０ｋ−１〜２０ｋ−２とＢＢＵ３０ｋとは、有線（例えば光ファイバ又は同軸線）にて通信可能に接続されている。ＲＲＨ２０ｋ−１及び２０ｋ−２は同様の構成を備えるため、ＲＲＨ２０ｋ−１を例に説明する。
【００８８】
ＲＲＨ２０ｋ−１は、ＲＦ受信部２０１−１と、チャネル推定部２０２ｉ−１と、復調部２０３ｈ−１と、送信制御部２０５ｋ−１とを備える。
ＲＲＨ２０ｋ−１は、送信制御部２０５ｉ−１に代えて送信制御部２０５ｋ−１を備える点でＲＲＨ２０ｉ−１と構成が異なる。ＲＲＨ２０ｋ−１の他の構成はＲＲＨ２０ｉ−１と同様である。そのため、ＲＲＨ２０ｋ−１全体の説明は省略し、送信制御部２０５ｋ−１について説明する。
【００８９】
送信制御部２０５ｋ−１は、復調部２０３ｈ−１から出力されたＬＬＲ値（軟判定値）と、チャネル推定部２０２ｉ−１から出力された受信品質の測定結果とを入力とする。送信制御部２０５ｋ−１は、入力した受信品質の測定結果に応じてＬＬＲ値の送信を制御する。具体的には、まず送信制御部２０５ｋ−１は、第２の閾値と、入力した測定結果である受信ＳＮＲとを比較する。次に、送信制御部２０５ｋ−１は、受信ＳＮＲが第２の閾値未満である場合、ＬＬＲ値を破棄するとともに、ＬＬＲ値を送信しないことを示す通知メッセージを生成し、生成した通知メッセージをＢＢＵ３０ｋに送信する。一方、送信制御部２０５ｋ−１は、受信ＳＮＲが第２の閾値以上である場合、ＬＬＲ値をＢＢＵ３０ｋに送信する。
【００９０】
ＢＢＵ３０ｋは、ＬＬＲ合成部３０２ｋ及び復号部３０３を備える。
ＬＬＲ合成部３０２ｋは、ＲＲＨ２０ｋから送信されたＬＬＲ値を受信する。ＬＬＲ合成部３０２ｋは、受信したＬＬＲ値を合成し、合成したＬＬＲ値を復号部３０３に出力する。また、ＬＬＲ合成部３０２ｋは、ＲＲＨ２０ｋから送信された通知メッセージを受信する。
【００９１】
以上のように構成された無線通信システム１００ｋによれば、第１０の実施形態と同様の効果を得ることができる。
また、ＲＲＨ２０ｋは、受信された信号の受信ＳＮＲが第２の閾値未満である場合、ＬＬＲ値を送信しないことを示す通知メッセージをＢＢＵ３０ｋに送信する。これにより、ＢＢＵ３０ｋでは、連携するＲＲＨ２０ｋ全てから情報を受信できたか否かを把握することができ、受信待ちに要する時間を削減することができる。
【００９２】
＜変形例＞
チャネル推定部２０２ｉ−１は、受信ＳＮＲではなく受信ＳＩＮＲを受信品質として測定してもよい。このようにＲＲＨ２０ｋ−１が構成される場合、送信制御部２０５ｋ−１は、第３の閾値と、入力した測定結果である受信ＳＩＮＲとを比較する。次に、送信制御部２０５ｋ−１は、受信ＳＩＮＲが第３の閾値未満である場合、ＬＬＲ値を破棄するとともに、ＬＬＲ値を送信しないことを示す通知メッセージを生成し、生成した通知メッセージをＢＢＵ３０ｋに送信する。一方、送信制御部２０５ｋ−１は、受信ＳＩＮＲが第３の閾値以上である場合、ＬＬＲ値をＢＢＵ３０ｋに送信する。
ＢＢＵ３０ｋは、いずれかのＲＲＨ２０ｋから受信した信号（例えば、ＬＬＲ値、又は、通知メッセージ）を誤りなく受信できた場合に、連携する全てのＲＲＨ２０ｋに対して受信が完了したことを通知するメッセージを送信するように構成されてもよい。
【００９３】
（第１３の実施形態）
図１３は、第１３の実施形態における無線通信システム１００ｌのシステム構成を表す構成図である。無線通信システム１００ｌは、端末装置１０ｌ、複数のＲＲＨ２０ｌ−１〜２０ｌ−２及びＢＢＵ３０ｈを備える。
第１３の実施形態では、端末装置１０ｌ及びＲＲＨ２０ｌが複数のアンテナを備え、端末装置１０ｌとＲＲＨ２０ｌとの間でＭＩＭＯ伝送を行う。この場合、ＲＲＨ２０ｌ−１は、複数のＲＦ受信部２０１−１−１〜２０１−１−ｎと、チャネル推定部２０２ｌ−１と、復調部２０３ｈ−１と、送信制御部２０５ｈ−１とを備える。
【００９４】
複数のＲＦ受信部２０１−１−１〜２０１−１−ｎはそれぞれ、１つのチャネル推定部２０２ｌ−１に接続される。チャネル推定部２０２ｌ−１は、ＲＦ受信部２０１−１−１〜２０１−１−ｎそれぞれで受信された信号に対して、無線伝送路のチャネル情報の推定及び受信品質の測定を行う。なお、チャネル推定部２０２ｌ−１は、複数のＲＦ受信部２０１−１−１〜２０１−１−ｎから出力された参照信号をもとに受信信号電力の合計値を算出して、算出した受信信号電力の合計値を送信制御部２０５ｈ−１に出力してもよいし、受信信号電力の平均値を送信制御部２０５ｈ−１に出力してもよい。復調部２０３ｈ−１及び送信制御部２０５ｈ−１の動作は第９の実施形態における同名の機能部と同様である。また、第１３の実施形態におけるＢＢＵ３０ｈは、第９の実施形態におけるＢＢＵ３０ｈと同様の構成であるため説明を省略する。
【００９５】
以上のように構成された無線通信システム１００ｌによれば、第９の実施形態と同様の効果を得ることができる。
また、無線通信システム１００ｌによれば、ＭＩＭＯ伝送においても、ＲＲＨ２０ｌとＢＢＵ３０ｈとの間の伝送容量を削減することが可能になる。
【００９６】
（第１４の実施形態）
図１４は、第１４の実施形態における無線通信システム１００ｍのシステム構成を表す構成図である。無線通信システム１００ｍは、端末装置１０ｍ、複数のＲＲＨ２０ｍ−１〜２０ｍ−２及びＢＢＵ３０ｈを備える。
第１４の実施形態では、端末装置１０ｍ及びＲＲＨ２０ｍが複数のアンテナを備え、端末装置１０ｍとＲＲＨ２０ｍとの間でＭＩＭＯ伝送を行う。この場合、ＲＲＨ２０ｍ−１は、複数のＲＦ受信部２０１−１−１〜２０１−１−ｎと、チャネル推定部２０２ｍ−１と、復調部２０３ｈ−１と、送信制御部２０５ｉ−１とを備える。
【００９７】
複数のＲＦ受信部２０１−１−１〜２０１−１−ｎはそれぞれ、１つのチャネル推定部２０２ｍ−１に接続される。チャネル推定部２０２ｍ−１は、ＲＦ受信部２０１−１−１〜２０１−１−ｎそれぞれで受信された信号に対して、無線伝送路のチャネル情報の推定及び受信品質の測定を行う。なお、チャネル推定部２０２ｍ−１は、複数のＲＦ受信部２０１−１−１〜２０１−１−ｎから出力された参照信号をもとに受信ＳＮＲの合計値を算出して、算出した受信ＳＮＲの合計値を送信制御部２０５ｉ−１に出力してもよいし、受信ＳＮＲの平均値を送信制御部２０５ｉ−１に出力してもよい。復調部２０３ｈ−１及び送信制御部２０５ｉ−１の動作は第１０の実施形態における同名の機能部と同様である。また、第１４の実施形態におけるＢＢＵ３０ｈは、第１０の実施形態におけるＢＢＵ３０ｈと同様の構成であるため説明を省略する。
【００９８】
以上のように構成された無線通信システム１００ｍによれば、第１０の実施形態と同様の効果を得ることができる。
また、無線通信システム１００ｍによれば、ＭＩＭＯ伝送においても、ＲＲＨ２０ｍとＢＢＵ３０ｈとの間の伝送容量を削減することが可能になる。
【００９９】
＜変形例＞
第１４の実施形態は、第１０の実施形態と同様に変形されてもよい。
また、チャネル推定部２０２ｍ−１は、受信ＳＮＲではなく受信ＳＩＮＲを受信品質として測定する場合、複数のＲＦ受信部２０１−１−１〜２０１−１−ｎから出力された参照信号をもとに受信ＳＩＮＲの合計値を算出して、算出した受信ＳＩＮＲの合計値を送信制御部２０５ｉ−１に出力してもよいし、受信ＳＩＮＲの平均値を送信制御部２０５ｉ−１に出力してもよい。
【０１００】
（第１５の実施形態）
図１５は、第１５の実施形態における無線通信システム１００ｎのシステム構成を表す構成図である。無線通信システム１００ｎは、端末装置１０ｎ、複数のＲＲＨ２０ｎ−１〜２０ｎ−２及びＢＢＵ３０ｊを備える。
第１５の実施形態では、端末装置１０ｎ及びＲＲＨ２０ｎが複数のアンテナを備え、端末装置１０ｎとＲＲＨ２０ｎとの間でＭＩＭＯ伝送を行う。この場合、ＲＲＨ２０ｎ−１は、複数のＲＦ受信部２０１−１−１〜２０１−１−ｎと、チャネル推定部２０２ｎ−１と、復調部２０３ｈ−１と、送信制御部２０５ｊ−１とを備える。
【０１０１】
複数のＲＦ受信部２０１−１−１〜２０１−１−ｎはそれぞれ、１つのチャネル推定部２０２ｎ−１に接続される。チャネル推定部２０２ｎ−１は、ＲＦ受信部２０１−１−１〜２０１−１−ｎそれぞれで受信された信号に対して、無線伝送路のチャネル情報の推定及び受信品質の測定を行う。なお、チャネル推定部２０２ｎ−１は、複数のＲＦ受信部２０１−１−１〜２０１−１−ｎから出力された参照信号をもとに受信信号電力の合計値を算出して、算出した受信信号電力の合計値を送信制御部２０５ｊ−１に出力してもよいし、受信信号電力の平均値を送信制御部２０５ｊ−１に出力してもよい。復調部２０３ｈ−１及び送信制御部２０５ｊ−１の動作は第１１の実施形態における同名の機能部と同様である。また、第１５の実施形態におけるＢＢＵ３０ｊは、第１１の実施形態におけるＢＢＵ３０ｊと同様の構成であるため説明を省略する。
【０１０２】
以上のように構成された無線通信システム１００ｎによれば、第１１の実施形態と同様の効果を得ることができる。
また、無線通信システム１００ｎによれば、ＭＩＭＯ伝送においても、ＲＲＨ２０ｎとＢＢＵ３０ｊとの間の伝送容量を削減することが可能になる。
【０１０３】
（第１６の実施形態）
図１６は、第１６の実施形態における無線通信システム１００ｏのシステム構成を表す構成図である。無線通信システム１００ｏは、端末装置１０ｏ、複数のＲＲＨ２０ｏ−１〜２０ｏ−２及びＢＢＵ３０ｋを備える。
第１６の実施形態では、端末装置１０ｏ及びＲＲＨ２０ｏが複数のアンテナを備え、端末装置１０ｏとＲＲＨ２０ｏとの間でＭＩＭＯ伝送を行う。この場合、ＲＲＨ２０ｏ−１は、複数のＲＦ受信部２０１−１−１〜２０１−１−ｎと、チャネル推定部２０２ｏ−１と、復調部２０３ｈ−１と、送信制御部２０５ｋ−１とを備える。
【０１０４】
複数のＲＦ受信部２０１−１−１〜２０１−１−ｎはそれぞれ、１つのチャネル推定部２０２ｏ−１に接続される。チャネル推定部２０２ｏ−１は、ＲＦ受信部２０１−１−１〜２０１−１−ｎそれぞれで受信された信号に対して、無線伝送路のチャネル情報の推定及び受信品質の測定を行う。なお、チャネル推定部２０２ｏ−１は、複数のＲＦ受信部２０１−１−１〜２０１−１−ｎから出力された参照信号をもとに受信ＳＮＲの合計値を算出して、算出した受信ＳＮＲの合計値を送信制御部２０５ｋ−１に出力してもよいし、受信ＳＮＲの平均値を送信制御部２０５ｋ−１に出力してもよい。復調部２０３ｈ−１及び送信制御部２０５ｋ−１の動作は第１２の実施形態における同名の機能部と同様である。また、第１６の実施形態におけるＢＢＵ３０ｋは、第１２の実施形態におけるＢＢＵ３０ｋと同様の構成であるため説明を省略する。
【０１０５】
以上のように構成された無線通信システム１００ｏによれば、第１２の実施形態と同様の効果を得ることができる。
また、無線通信システム１００ｏによれば、ＭＩＭＯ伝送においても、ＲＲＨ２０ｏとＢＢＵ３０ｋとの間の伝送容量を削減することが可能になる。
【０１０６】
＜変形例＞
第１６の実施形態は、第１２の実施形態と同様に変形されてもよい。
また、チャネル推定部２０２ｏ−１は、受信ＳＮＲではなく受信ＳＩＮＲを受信品質として測定する場合、複数のＲＦ受信部２０１−１−１〜２０１−１−ｎから出力された参照信号をもとに受信ＳＩＮＲの合計値を算出して、算出した受信ＳＩＮＲの合計値を送信制御部２０５ｋ−１に出力してもよいし、受信ＳＩＮＲの平均値を送信制御部２０５ｋ−１に出力してもよい。
【０１０７】
以下、各実施形態に共通する変形例について説明する。ここでは、第１の実施形態におけるＲＲＨ２０及びＢＢＵ３０を例に説明するが、ＲＲＨ２０をＲＲＨ２０ａ〜ＲＲＨ２０ｏのいずれかに置き換え、ＢＢＵ３０をＢＢＵ３０ａ〜ＢＢＵ３０ｃ、ＢＢＵ３０ｈ、ＢＢＵ３０ｊ、ＢＢＵ３０ｋのいずれかに置き換えてもよい。
上記の各実施形態において、端末装置１０の数は複数台であってもよい。また、本実施形態において、ＲＲＨ２０の数は３台以上であってもよい。
ＲＲＨ２０と、ＢＢＵ３０との間は、Ｐｏｉｎｔ−ｔｏ−Ｐｏｉｎｔ接続に限定する必要はなく、ネットワーク化されていてもよい。
【０１０８】
前述した実施形態におけるＲＲＨ２０、ＲＲＨ２０ａ〜ＲＲＨ２０ｏ及びＢＢＵ３０、ＢＢＵ３０ａ〜ＢＢＵ３０ｃ、ＢＢＵ３０ｈ、ＢＢＵ３０ｊ、ＢＢＵ３０ｋの全て又は一部をコンピュータで実現するようにしてもよい。例えば、ＲＲＨ、ＢＢＵが有する構成要素それぞれを実現するためのプログラムをコンピュータ読み取り可能な記録媒体に記録して、この記録媒体に記録されたプログラムをコンピュータシステムに読み込ませ、実行することによって、ＲＲＨ、ＢＢＵを実現してもよい。なお、ここでいう「コンピュータシステム」とは、ＯＳ（Operating System）や周辺機器等のハードウェアを含むものとする。また、「コンピュータ読み取り可能な記録媒体」とは、フレキシブルディスク、光磁気ディスク、ＲＯＭ（Read Only Memory）、ＣＤ（Compact Disc）−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また、このプログラムは、前述した構成要素の一部を実現するためのものであってもよく、更に前述した構成要素をコンピュータシステムにすでに記録されているプログラムとの組み合わせで実現できるものであってもよく、ＰＬＤ（Programmable Logic Device）やＦＰＧＡ（Field Programmable Gate Array）等のハードウェアを用いて実現されるものであってもよい。
【０１０９】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【０１１０】
本発明は、例えば、無線通信に利用可能である。本発明によれば、複数のＲＲＨとＢＢＵとの間の伝送容量を削減することが可能となる。
【符号の説明】
【０１１１】
１０、１０ｄ、１０ｅ、１０ｆ、１０ｇ、１０ｌ、１０ｍ、１０ｎ、１０ｏ、９１、９１ａ…端末装置
２０（２０−１、２０−２）、２０ａ（２０ａ−１、２０ａ−２）〜２０ｏ（２０ｏ−１、２０ｏ−２）、９２−１、９２−２、９２ａ−１、９２ａ−２…ＲＲＨ
３０、３０ａ、３０ｂ、３０ｃ、３０ｈ、３０ｊ、３０ｋ、９３、９３ａ…ＢＢＵ
２０１−１、２０１−２、２０１−１−１〜２０１−１−ｎ、２０１−２−１〜２０１−２−ｎ、９２１−１、９２１−２、９２１ａ−１、９２１ａ−２…ＲＦ受信部
２０２（２０２−１、２０２−２）、２０２ａ（２０２ａ−１、２０２ａ−２）、２０２ｄ（２０２ｄ−１、２０２ｄ−２）、２０２ｅ（２０２ｅ−１、２０２ｅ−２）、２０２ｆ（２０２ｆ−１、２０２ｆ−２）、２０２ｇ（２０２ｇ−１、２０２ｇ−２）、２０２ｉ（２０２ｉ−１、２０２ｉ−２）、２０２ｌ（２０２ｌ−１、２０２ｌ−２）、２０２ｍ（２０２ｍ−１、２０２ｍ−２）、２０２ｎ（２０２ｎ−１、２０２ｎ−２）、２０２ｏ（２０２ｏ−１、２０２ｏ−２）、９２２−１、９２２−２、９２２ａ−１、９２２ａ−２…チャネル推定部
２０３−１、２０３−２、２０３ｈ−１、２０３ｈ−２、９２３−１、９２３−２、９２３ａ−１、９２３ａ−２…復調部
２０４−１、２０４−２、９２４−１、９２４−２…復号部
２０５（２０５−１、２０５−２）、２０５ａ（２０５ａ−１、２０５ａ−２）、２０５ｂ（２０５ｂ−１、２０５ｂ−２）、２０５ｃ（２０５ｃ−１、２０５ｃ−２）、２０５ｈ（２０５ｈ−１、２０５ｈ−２）、２０５ｉ（２０５ｉ−１、２０５ｉ−２）、２０５ｊ（２０５ｊ−１、２０５ｊ−２）、２０５ｋ（２０５ｋ−１、２０５ｋ−２）…送信制御部
３０１、３０１ａ、３０１ｂ、３０１ｃ…選択合成部
３０２、３０２ｊ、３０２ｋ、９３２…ＬＬＲ合成部
３０３、９３３…復号部
【図１】
0006686169.tif 000002
【図２】
0006686169.tif 000003
【図３】
0006686169.tif 000004
【図４】
0006686169.tif 000005
【図５】
0006686169.tif 000006
【図６】
0006686169.tif 000007
【図７】
0006686169.tif 000008
【図８】
0006686169.tif 000009
【図９】
0006686169.tif 000010
【図１０】
0006686169.tif 000011
【図１１】
0006686169.tif 000012
【図１２】
0006686169.tif 000013
【図１３】
0006686169.tif 000014
【図１４】
0006686169.tif 000015
【図１５】
0006686169.tif 000016
【図１６】
0006686169.tif 000017
【図１７】
0006686169.tif 000018
【図１８】
0006686169.tif 000019
【図１９】
0006686169.tif 000020
【図２０】
0006686169.tif 000021
【図２１】
0006686169.tif 000022